(57)【要約】【課題】待機状態から動作状態へ切り替わり映像が表示されるまでに要する起動時間を短縮するとともに、待機状態における電力消費量を低減したテレビジョン装置を提供する。【解決手段】ステップＳ１３０で、副制御部３１は、デジタルチューナ６１が受信した電子番組ガイド（ＥＰＧ）の放送スケジュールから、待機状態になる直前の動作状態にある時にデジタルチューナ６１によって受信されていたデジタルテレビジョン放送のチャンネルが現在放送中であるか否かを示す情報を得た後、ステップＳ１４０に進む。ステップＳ１４０で、副制御部３１は、ステップＳ１３０で得た情報に基づいて現在放送中であるか否かを判断し、現在放送中の場合は、ステップＳ１５０に進み、そうでない場合は、ステップＳ２００に進む。【選択図】図５
2008177883.tif 000002
【特許請求の範囲】
【請求項１】
デジタルテレビジョン放送のチャンネルを受信してベースバンド信号を出力するデジタルチューナと、
ベースバンド信号を復調してトランスポートストリームを生成し、該トランスポートストリームを復号してデジタル映像信号を出力するデジタル受信部と、
デジタル映像信号に対応した映像を表示する表示部と、
時刻をカウントする時計部と、
前記デジタルチューナ、前記デジタル受信部、及び前記表示部を制御する主制御部と、
少なくとも、前記デジタルチューナ、前記デジタル受信部、及び前記表示部に、外部電源を変圧して供給する電源回路と、
該電源回路を制御する副制御部と、
電源キーを有し、該電源キーが操作されると操作信号を送信するリモコンと、
該リモコンから送信された操作信号を受信する受信部と、
該受信部が受信した操作信号を制御信号に変換して出力する信号変換部と
を備え、
前記外部電源から電源が供給されていない停止状態、
前記表示部が映像を表示している動作状態、
前記外部電源から電源が供給され且つ前記表示部が映像を表示していない待機状態
のうちの何れか１つの状態を取り、
前記副制御部は、前記信号変換部から出力された制御信号に応じて前記動作状態と前記待機状態とを切り替えるテレビジョン装置であって、
前記待機状態にある時に、前記副制御部は、予め定められた条件に応じて、予め定められた部分へ前記電源回路から電源を供給することを特徴とするテレビジョン装置。
【請求項２】
前記待機状態にある時に、前記副制御部は、１つ以上の条件からなる電源供給条件群に含まれる全ての条件を満足する場合には前記主制御部へ前記電源回路から電源を供給させ、それ以外の場合には前記主制御部へ前記電源回路から電源を供給させないことを特徴とする請求項１に記載のテレビジョン装置。
【請求項３】
前記待機状態にある時に、前記副制御部は、１つ以上の条件からなる電源供給条件群に含まれる全ての条件を満足し且つ待機状態から動作状態への切り替えを最速で行うよう設定されている場合には前記デジタル受信部へ前記電源回路から電源を供給させ、それ以外の場合には前記デジタル受信部へ前記電源回路から電源を供給させないことを特徴とする請求項１又は２に記載のテレビジョン装置。
【請求項４】
前記電源供給条件群は、前記待機状態になる直前の前記動作状態にある時に前記デジタルチューナによって最後に受信されていたデジタルテレビジョン放送のチャンネルが現在放送中であるという条件を含むことを特徴とする請求項１乃至３の何れか１項に記載のテレビジョン装置。
【請求項５】
前記デジタルチューナは、電子番組ガイドを受信し、
前記副制御部は、電子番組ガイドの放送スケジュールから、前記待機状態になる直前の前記動作状態にある時に前記デジタルチューナによって最後に受信されていたデジタルテレビジョン放送のチャンネルが現在放送中であるか否かを示す情報を得ることを特徴とする請求項４に記載のテレビジョン装置。
【請求項６】
前記電源供給条件群は、予め設定された時刻帯であるという条件を含むことを特徴とする請求項１乃至５の何れか１項に記載のテレビジョン装置。
【請求項７】
アナログテレビジョン放送のチャンネルを受信し、復調してアナログ映像信号を出力するアナログチューナと、
アナログ映像信号をデジタル映像信号に変換するアナログ・デジタル変換器と
を更に備え、
前記電源供給条件群は、前記待機状態になる直前の前記動作状態にある時に最後に受信されていたチャンネルがデジタルテレビジョン放送のチャンネルであるという条件を含むことを特徴とする請求項１乃至６の何れか１項に記載のテレビジョン装置。
【発明の詳細な説明】
【技術分野】
【０００１】
本発明は、テレビジョン放送を受信して映像を表示する装置に関し、より詳しくは、デジタルテレビジョン放送を視聴する際の起動時間を短縮したテレビジョン装置に関する。
【背景技術】
【０００２】
現在販売されているテレビジョン装置の多くは、リモコンを備えており、ユーザは、リモコンを用いて、電源のオン・オフや選局等の種々の操作を行うことができる。このリモコンによる操作が行われる際の処理の流れは、以下のようになる。先ず、ユーザがリモコンに設けられたキーを操作すると、リモコンは、キーに対応した操作信号を送信する。テレビジョン装置本体に備えられた受信部は、この操作信号を受信し、信号変換部は、この受信された操作信号を制御信号に変換する。副制御部は、この制御信号に基づいて、各部を制御する。
【０００３】
このようなテレビジョン装置は、動作状態、待機状態、停止状態の３状態の何れか１つの状態にある。ここで、動作状態とは、テレビジョン装置の表示部に映像が表示されている状態であり、この状態で、ユーザはテレビジョン放送を視聴する。待機状態とは、外部からテレビジョン装置に対して電源が供給されているが、表示部には映像が表示されていない状態である。停止状態とは、外部からテレビジョン装置に対して電源が一切供給されていない状態であり、この状態の時、テレビジョン装置は、リモコンから送信された操作信号を受信することができないため、リモコンによる操作は不可能である。
【０００４】
テレビジョン装置が動作状態や待機状態にある時には、受信部、信号変換部、及び副制御部に対して電源が供給されており、ユーザは、リモコンによる操作を行うことができる。特に、リモコンに設けられた電源キーを操作することで、動作状態と待機状態とを切り替えることができる。なお、動作状態に切り替えて、映像が表示されるまでの時間を「起動時間」という。
【０００５】
所で、このようなリモコンで操作できるテレビジョン装置には、テレビジョン装置本体に主電源スイッチを備えたものと、そうでないものがある。ここで、主電源スイッチとは、電源プラグからテレビジョン装置への電源の供給を有効又は無効にするスイッチである。即ち、主電源スイッチがオフになっていると、電源プラグからテレビジョン装置に電源は一切供給されない。
【０００６】
主電源スイッチを備えたテレビジョン装置は、電源プラグが接続されていない場合や主電源スイッチがオフになっている場合に、停止状態になる。即ち、テレビジョン装置を動作状態や待機状態にするためには、電源プラグを外部電源に接続し且つ主電源スイッチをオンにする必要がある。動作状態と待機状態との切り替えは、リモコンに設けられた電源キーを操作することで行う。
【０００７】
一方、主電源スイッチを備えていないテレビジョン装置は、電源プラグを外すことで、停止状態にすることができる。即ち、テレビジョン装置を動作状態や待機状態にするためには、電源プラグを外部電源に接続する必要がある。動作状態と待機状態との切り替えは、リモコンに設けられた電源キーを操作することで行う。
【０００８】
さて、近年、デジタルテレビジョン放送の開始にともない、デジタルテレビジョン放送を受信し表示するテレビジョン装置が普及している。デジタルテレビジョン放送の場合、アナログテレビジョン放送の場合に比較して、映像が表示されるまでの時間（起動時間）が長いことが指摘されている。これは、圧縮して記憶されているプログラムの解凍やメモリへの展開、ＯＳ部の起動等の「初期化」に時間を要するためである。
【０００９】
特許文献１には、電源をオンしてから起動するまでに初期化を行う必要がある装置において、初期化に時間を要する箇所には、装置が電源をオフする指示を受けたとしても、その初期化に時間を要する箇所への電源供給を継続する技術が開示されている。
【００１０】
この技術を、デジタルテレビジョン放送のチャンネルを受信し、その映像を表示するテレビジョン装置に適用することを考える。この場合、最も初期化に時間を要するのは、デジタルチューナの出力からデジタル映像信号を生成するデジタル受信部である。デジタル受信部は主制御部の制御によって起動されるため、デジタル受信部が起動する前に主制御部が起動している必要がある。また、リモコン操作を有効にするためには、少なくとも副制御部が起動している必要がある。従って、起動時間を最小にするためには、待機状態の時に、デジタル受信部、主制御部、及び副制御部に電源が供給されている必要がある。
【００１１】
図１１は、従来のテレビジョン装置における電源供給状態を説明するテーブルを示す図である。テーブル９４の１行目９４１は、テレビジョン装置の主要部分を示す。このテーブル９４の２行目９４２、３行目９４３、及び４行目９４４は、それぞれ、動作状態、待機状態、及び停止状態における主要部分の電源供給状態を示しており、「オン」は電源が供給されていることを意味し、「オフ」は電源が供給されていないことを意味する。
【００１２】
このような電源供給状態を実現することで、リモコンの電源キーを操作して待機状態から動作状態に切り替える際、待機状態の時にデジタル受信部は既に起動しているため、デジタル受信部において初期化を行う必要がなくなり、起動時間を最小にすることができる。
【００１３】
【特許文献１】特開２００６−２０９９４１号公報
【発明の開示】
【発明が解決しようとする課題】
【００１４】
所で、待機状態から動作状態に切り替わった時は、最後に受信されていたチャンネルを表示するのが一般的である。従って、アナログチューナとデジタルチューナの両方を備えたテレビジョン装置において、アナログテレビジョン放送のチャンネルを受信している動作状態から待機状態に切り替わった場合、次に動作状態に切り替わる際は、最後に受信されていたアナログテレビジョン放送のチャンネルを受信すれば良い。即ち、次に動作状態に切り替わる際、デジタルテレビジョン放送の受信を行う必要はない。
【００１５】
また、待機状態になる直前の動作状態にある時にデジタルチューナによって最後に受信されていたチャンネルが、現在放送されていない時も、待機状態から動作状態に切り替わる際、デジタルテレビジョン放送の受信を行う必要はない。
【００１６】
更に、放送が停止していることの多い深夜や、ユーザが外出していて不在であることの多い昼間のように、ユーザが視聴する可能性の低い時刻帯は、デジタルテレビジョン放送の受信を迅速に行う必要性は低い。
【００１７】
このように、デジタルテレビジョン放送の受信を迅速に行う必要がない場合や、その必要性が低い場合においても、特許文献１の技術によれば、待機状態にある時は常にデジタル受信部に電源が供給されるため、無駄に電力を消費してしまうという問題があった。
【００１８】
本発明は、上述の問題点に鑑みてなされたものであり、待機状態から動作状態へ切り替わり映像が表示されるまでに要する時間（起動時間）を短縮するとともに、待機状態における電力消費量を低減したテレビジョン装置を提供することを目的とする。
【課題を解決するための手段】
【００１９】
請求項１に記載のテレビジョン装置は、デジタルテレビジョン放送のチャンネルを受信してベースバンド信号を出力するデジタルチューナと、ベースバンド信号を復調してトランスポートストリームを生成し、該トランスポートストリームを復号してデジタル映像信号を出力するデジタル受信部と、デジタル映像信号に対応した映像を表示する表示部と、時刻をカウントする時計部と、前記デジタルチューナ、前記デジタル受信部、及び前記表示部を制御する主制御部と、少なくとも、前記デジタルチューナ、前記デジタル受信部、及び前記表示部に、外部電源を変圧して供給する電源回路と、該電源回路を制御する副制御部と、電源キーを有し、該電源キーが操作されると操作信号を送信するリモコンと、該リモコンから送信された操作信号を受信する受信部と、該受信部が受信した操作信号を制御信号に変換して出力する信号変換部とを備え、前記外部電源から電源が供給されていない停止状態、前記表示部が映像を表示している動作状態、前記外部電源から電源が供給され且つ前記表示部が映像を表示していない待機状態のうちの何れか１つの状態を取り、前記副制御部は、前記信号変換部から出力された制御信号に応じて前記動作状態と前記待機状態とを切り替えるテレビジョン装置であって、前記待機状態にある時に、前記副制御部は、予め定められた条件に応じて、予め定められた部分へ前記電源回路から電源を供給することを特徴とする。
【００２０】
請求項１に記載のテレビジョン装置によれば、待機状態にある時に、予め定められた条件に応じて、予め定められた部分へ電源回路から電源を供給させることができる。
【００２１】
請求項２に記載のテレビジョン装置は、請求項１において、前記待機状態にある時に、前記副制御部は、１つ以上の条件からなる電源供給条件群に含まれる全ての条件を満足する場合には前記主制御部へ前記電源回路から電源を供給させ、それ以外の場合には前記主制御部へ前記電源回路から電源を供給させないことを特徴とする。
【００２２】
請求項２に記載のテレビジョン装置によれば、待機状態にある時に、電源供給条件群に含まれる全ての条件を満足する場合にのみ、主制御部へ電源回路から電源を供給させることができる。
【００２３】
請求項３に記載のテレビジョン装置は、請求項１又は２において、前記待機状態にある時に、前記副制御部は、１つ以上の条件からなる電源供給条件群に含まれる全ての条件を満足し且つ待機状態から動作状態への切り替えを最速で行うよう設定されている場合には前記デジタル受信部へ前記電源回路から電源を供給させ、それ以外の場合には前記デジタル受信部へ前記電源回路から電源を供給させないことを特徴とする。
【００２４】
請求項３に記載のテレビジョン装置によれば、待機状態にある時に、電源供給条件群に含まれる全ての条件を満足し且つ最速起動を行うよう設定されている場合にのみ、デジタル受信部に電源を供給することができる。
【００２５】
請求項４に記載のテレビジョン装置は、請求項１乃至３の何れか１項において、前記電源供給条件群は、前記待機状態になる直前の前記動作状態にある時に前記デジタルチューナによって最後に受信されていたデジタルテレビジョン放送のチャンネルが現在放送中であるという条件を含むことを特徴とする。
【００２６】
請求項４に記載のテレビジョン装置によれば、待機状態にある時に、この待機状態になる直前の動作状態にある時にデジタルチューナが受信していたデジタルテレビジョン放送のチャンネルが現在放送中ではない場合、主制御部及びデジタル受信部へ電源回路から電源が供給されないようにすることができる。
【００２７】
請求項５に記載のテレビジョン装置は、請求項４において、前記デジタルチューナは、電子番組ガイドを受信し、前記副制御部は、電子番組ガイドの放送スケジュールから、前記待機状態になる直前の前記動作状態にある時に前記デジタルチューナによって最後に受信されていたデジタルテレビジョン放送のチャンネルが現在放送中であるか否かを示す情報を得ることを特徴とする。
【００２８】
請求項５に記載のテレビジョン装置によれば、副制御部は、電子番組ガイドの放送スケジュールから、デジタルテレビジョン放送のチャンネルが現在放送中であるか否かを判断することができる。
【００２９】
請求項６に記載のテレビジョン装置は、請求項１乃至５の何れか１項において、前記電源供給条件群は、予め設定された時刻帯であるという条件を含むことを特徴とする。
【００３０】
請求項６に記載のテレビジョン装置によれば、待機状態にある時に、予め設定された時刻帯でない場合、主制御部及びデジタル受信部へ電源回路から電源が供給されないようにすることができる。
【００３１】
請求項７に記載のテレビジョン装置は、請求項１乃至６の何れか１項において、アナログテレビジョン放送のチャンネルを受信し、復調してアナログ映像信号を出力するアナログチューナと、アナログ映像信号をデジタル映像信号に変換するアナログ・デジタル変換器とを更に備え、前記電源供給条件群は、前記待機状態になる直前の前記動作状態にある時に最後に受信されていたチャンネルがデジタルテレビジョン放送のチャンネルであるという条件を含むことを特徴とする。
【００３２】
請求項７に記載のテレビジョン装置によれば、待機状態にある時に、この待機状態になる直前の動作状態にある時に最後に受信されていたチャンネルがデジタルテレビジョン放送のチャンネルでなかった場合に、主制御部及びデジタル受信部へ電源回路から電源が供給されないようにすることができる。
【発明の効果】
【００３３】
本発明によれば、待機状態にある時に、予め定められた条件に応じて、予め定められた部分へ電源回路から電源を供給させることができる。このため、予め定められた条件に応じて、迅速に起動して映像を表示させることや、電力消費量を減少させることができる。
【００３４】
本発明によれば、待機状態にある時に、電源供給条件群に含まれる全ての条件を満足する場合にのみ、主制御部へ電源回路から電源を供給させることができる。このため、電源供給条件群に含まれる全ての条件を満足する場合に、迅速に起動して映像を表示させることができ、更に、それ以外の場合には、電力消費量を減少させることができる。
【００３５】
更に、本発明によれば、待機状態にある時に、電源供給条件群に含まれる全ての条件を満足し且つ最速起動を行うよう設定されている場合にのみ、デジタル受信部に電源を供給することができる。このため、電源供給条件群に含まれる全ての条件を満足し且つ最速起動を行うよう設定されている場合に、より迅速に起動して映像を表示させることができ、更に、それ以外の場合には、電力消費量を減少させることができる。
【００３６】
更に、本発明によれば、待機状態にある時に、この待機状態になる直前の動作状態にある時にデジタルチューナが受信していたデジタルテレビジョン放送のチャンネルが現在放送中ではない場合、主制御部及びデジタル受信部へ電源回路から電源が供給されないようにすることができる。このため、待機状態になる直前の動作状態にある時にデジタルチューナが受信していたデジタルテレビジョン放送のチャンネルが現在放送されていない場合は、電力消費量を減少させることができる。
【００３７】
更に、本発明によれば、副制御部は、電子番組ガイドの放送スケジュールから、デジタルテレビジョン放送のチャンネルが現在放送中であるか否かを判断することができる。通常、デジタルテレビジョン放送を受信する装置には、電子番組ガイドを受信する機能が備わっている。このため、放送中であるか否かの情報を得るために特別の手段を備える必要はなく、製造コストを低減することができる。
【００３８】
更に、本発明によれば、待機状態にある時に、予め設定された時刻帯でない場合、主制御部及びデジタル受信部へ電源回路から電源が供給されないようにすることができる。このため、時刻帯としてユーザがよく視聴する時刻帯を予め設定しておくことで、ユーザがよく視聴する時刻帯ではない場合（即ち、迅速な起動が必要とされることが少ない場合）には、電力消費量を減少させることができる。例えば、２３時に就寝し６時に起床するユーザは、６時から２３時までの時刻帯をよく視聴する時刻帯として予め設定しておけば良い。また、８時から１９時まで外出することの多いユーザは、この時刻帯を除いた時刻帯（即ち、１９時から８時まで）をよく視聴する時刻帯として予め設定しておけば良い。
【００３９】
更に、本発明によれば、待機状態にある時に、この待機状態になる直前の動作状態にある時に最後に受信されていたチャンネルがデジタルテレビジョン放送のチャンネルでなかった場合に、主制御部及びデジタル受信部へ電源回路から電源が供給されないようにすることができる。このため、待機状態になる直前の動作状態にある時に最後に受信されていたチャンネルがデジタルテレビジョン放送のチャンネルでない場合（即ち、待機状態から動作状態になる際に、デジタルテレビジョン放送のチャンネルの受信が必要でない場合）には、電力消費量を減少させることができる。
【発明を実施するための最良の形態】
【００４０】
本発明の実施の形態を、図面を参照して説明する。なお、以下の実施例は本発明の具体例に過ぎず、本発明が以下の実施形態に限定されるものではない。
【実施例１】
【００４１】
図１は、本実施例のテレビジョン装置の構成を示すブロック図である。テレビジョン装置１は、主マイコン２、副マイコン３、電源回路４、デジタル受信部５、デジタルチューナ６１、外部入力端子６３、アナログ・デジタル変換器（Ａｎａｌｏｇ  Ｄｉｇｉｔａｌ  Ｃｏｎｖｅｒｔｅｒ：ＡＤＣ）６４、表示部７、本体キー８１、リモコン８２、受信部８３を備える。図４は、本実施例のテレビジョン装置のリモコンを示す図である。リモコン８２は、電源キー８２１を有する。
【００４２】
デジタルチューナ６１は、デジタルテレビジョン放送のチャンネルを受信してベースバンド信号を出力する。外部入力端子６３は、図示しない外部機器からアナログ映像信号を入力するための端子である。アナログ・デジタル変換器６４は、アナログ映像信号をデジタル映像信号に変換する。
【００４３】
表示部７は、スケーラ７２、ＬＶＤＳ（Ｌｏｗ  Ｖｏｌｔａｇｅ  Ｄｉｆｆｅｒｅｎｔｉａｌ  Ｓｉｇｎａｌｉｎｇ、低電圧差動信号処理）用ＩＣ７３、ＬＣＤ（Ｌｉｑｕｉｄ  Ｃｒｙｓｔａｌ  Ｄｉｓｐｌａｙ、液晶ディスプレイ）パネル７４から構成され、デジタル映像信号に対応した映像を表示する。スケーラ７２は、デジタル映像信号のスケーリングを行う。ＬＶＤＳ用ＩＣ７３は、デジタル映像信号をＬＶＤＳ方式に変換する。ＬＣＤパネル７４は、映像を表示する。
【００４４】
本体キー８１は、テレビジョン装置１の本体に備えられた各種キーであり、図示しない主電源スイッチを含む。リモコン８２は、電源キー８２１を有し、ユーザが電源キー８２１を操作すると、操作信号を送信する。受信部８３は、リモコン８２の送信した操作信号を受信する。
【００４５】
副マイコン３は、信号変換部３２、時計部３３、制御部３１を備える。信号変換部３２は、受信部８３の受信した操作信号を制御信号に変換する。時計部３３は、時刻をカウントする。副制御部３１は、電源回路４を制御する。
【００４６】
主マイコン２は、主制御部２１を備える。主制御部２１は、デジタル受信部５、デジタルチューナ６１、アナログ・デジタル変換器６４、スケーラ７２、ＬＶＤＳ用ＩＣ７３、ＬＣＤパネル７４を制御する。
【００４７】
電源回路４は、図示しない外部電源の電圧を変換して、各部に供給する。ここで、図１の破線矢印は、電源の供給を示す。また、点線矢印は、映像を示す信号の流れを示し、実線は、制御信号及び操作信号を示す。
【００４８】
図３は、本実施例のテレビジョン装置のデジタル受信部の構成を示すブロック図である。デジタル受信部５は、ＭＰＥＧ用ＩＣ５１、ＳＤＲＡＭ５２、フラッシュＲＯＭ５３、ＯＦＤＭ復調部５４を備える。
【００４９】
ＯＦＤＭ復調部５４は、デジタルチューナ６１から出力されたベースバンド信号を復調して、トランスポートストリームを生成する。
【００５０】
フラッシュＲＯＭ５３は、ソフトウェアを記憶する。このソフトウェアは、ローダ（Ｌｏａｄｅｒ）部と本体部からなる。更に、本体部は、ＯＳ（Ｏｐｅｒａｔｉｎｇ  Ｓｙｓｔｅｍ、オペレーティングシステム）部とアプリケーション部からなる。
【００５１】
ローダ部は、起動時にフラッシュＲＯＭ５３に記憶されているソフトウェアの本体部を、圧縮されている場合には伸長して、ＳＤＲＡＭ５２に転送する。この本体部のアプリケーション部は、デジタルチューナ６１の制御（選局動作）、リモコン８２や本体キー８１の受信処理とオンスクリーン表示（ユーザインターフェース）、スケーラ７２やアナログ・デジタル変換器６４等のＩＣの制御を行い、ＯＳ部は、このアプリケーション部の実行の管理やメモリの管理等を行う。
【００５２】
なお、起動時にソフトウェアの本体部をＳＤＲＡＭ５２に転送するのは、フラッシュＲＯＭ５３よりもＳＤＲＡＭ５２の方が読み出しに要する時間が短く、ＳＤＲＡＭ５２上でソフトウェアを実行した方が、高速処理が可能であるからである。また、フラッシュＲＯＭ５３上にソフトウェアの本体部を圧縮して記憶しておくことができるので、フラッシュＲＯＭ５３のサイズを小さくすることもできる。
【００５３】
ＭＰＥＧ用ＩＣ５１は、マイコン５１１、ＳＤＲＡＭインターフェース５１２、フラッシュＲＯＭインターフェース５１３、ＴＳ（Ｔｒａｎｓｐｏｒｔ  Ｓｔｒｅａｍ、トランスポートストリーム）用Ｉ／Ｏ５１４、ＭＰＥＧ復号部５１５、ディスプレイ制御部５１６を備え、これらが、バス５１０を介してバス接続される構成となっている。
【００５４】
ＳＤＲＡＭインターフェース５１２、フラッシュＲＯＭ５１３、及びＴＳ用Ｉ／Ｏ５１４は、それぞれ、ＳＤＲＡＭ５２、フラッシュＲＯＭ５３、及びＯＦＤＭ復調部５４とのインターフェースである。ＭＰＥＧ復号部５１５は、トランスポートストリームを復号してデジタル映像信号を生成する。ディスプレイ制御部５１６は、デジタル映像信号をスケーラ７２に対して出力する。マイコン５１１は、ＭＰＥＧ用ＩＣ５１の各部を制御する。
【００５５】
ここで、デジタル受信部５に電源が供給されてから映像が表示されるまでの起動時の処理の流れを簡単に説明する。先ず、デジタル受信部５に電源が供給されると、フラッシュＲＯＭ５３に記憶されているソフトウェアのローダ部が実行され、本体部をＳＤＲＡＭ５２に展開する（第１の処理）。続いて、ＳＤＲＡＭ５２に展開された本体部のＯＳ部に制御が移り、ＯＳ部は初期化を行う（第２の処理）。続いて、ＯＳ部がＳＤＲＡＭ５２に展開された本体部のアプリケーション部を実行させる（第３の処理）。これらの処理の後、デジタル映像信号がディスプレイ制御部５１６から出力され、表示部７によって映像が表示される。
【００５６】
上述の第１の処理及び第２の処理の実行には多くの時間を要する。従って、デジタル受信部５に電源が供給されていれば、これらの処理を新たに行う必要はなく、迅速な起動が可能となる。
【００５７】
次に、図８、１０、及び５を用いて、本実施例のテレビジョン装置における処理の流れを説明する。図８は、本実施例のテレビジョン装置における電源供給条件群を構成する条件を説明するテーブルを示す図である。本実施例のテレビジョン装置の電源供給条件群は、「クイック起動が有効である。」という条件と、「現在放送中である。」という条件と、「視聴時刻帯である。」という条件とからなる。ここで、「クイック起動」とは、待機状態から迅速に起動する機能を意味する用語である。また、「視聴時刻帯」とは、ユーザが良く視聴する時刻帯を意味する。
【００５８】
この電源供給条件群に含まれる全ての条件を満足し、且つ、待機状態から動作状態への切り替えを最速で行うよう設定されている場合には、最速で起動できる状態で待機する（最速起動待機）。具体的には、起動の際に最も時間を要するデジタル受信部５には電源が供給されている状態である。
【００５９】
電源供給条件群に含まれる全ての条件を満足するが、待機状態から動作状態への切り替えを最速で行うようには設定されていない場合には、通常の時間で起動できる状態で待機する（通常待機）。具体的には、デジタル受信部５に電源が供給される直前の状態であり、デジタル受信部５には電源は供給されていないが、デジタル受信部５を制御する主制御部２１には電源は供給されている状態である。
【００６０】
電源供給条件群に含まれる３つの条件の中に、１つでも満足しないものが有る場合は、起動時間は長くなるが、電力消費量が最小になる状態で待機する（最低消費電力待機）。具体的には、デジタル受信部５にも、主制御部２１にも電源が供給されていない状態である。このため、動作状態に切り替える際は、主制御部２１に電源を供給して主制御部２１を起動させた後、デジタル受信部５に電源を供給してデジタル受信部５を起動させる必要がある。
【００６１】
図１０は、本実施例のテレビジョン装置における電源供給状態を説明するテーブルを示す図である。テーブル９３の１行目９３１は、テレビジョン装置１の主要部分を示す。２行目９３２、３行目９３３、４行目９３４、５行目９３５、及び６行目９３６は、それぞれ、動作状態、最速起動待機、通常待機、最低消費電力待機、及び停止状態における主要部分の電源供給状態を示しており、「オン」は電源が供給されていることを意味し、「オフ」は電源が供給されていないことを意味する。
【００６２】
図５は、本実施例のテレビジョン装置の待機状態における処理の流れを示すフローチャートである。このフローチャートは、待機状態において、一定時間毎（例えば、１分毎）に実行される。
【００６３】
なお、各ステップの進行は、副制御部３１によって行われる。また、副マイコン３は、クイック起動が有効であるか否かを示す情報、ユーザの設定した視聴時刻帯、起動設定、及び待機状態になる直前の動作状態にある時にデジタルチューナ６１によって受信されていたデジタルテレビジョン放送のチャンネルを記憶する。ここで、起動設定とは、待機状態から動作状態への切り替えを最速で行うか否かを示す設定であり、最速で行う場合は、「最速」が記憶される。
【００６４】
ステップＳ１２０で、副制御部３１は、副マイコン３からクイック起動が有効になっているか否かを読み出し、有効になっている場合は、ステップＳ１３０に進み、そうでない場合は、ステップＳ２００に進む。
【００６５】
ステップＳ１３０で、副制御部３１は、デジタルチューナ６１が受信した電子番組ガイド（Ｅｌｅｃｔｒｏｎｉｃ  Ｐｒｏｇｒａｍ  Ｇｕｉｄｅ：ＥＰＧ）の放送スケジュールから、待機状態になる直前の動作状態にある時にデジタルチューナ６１によって受信されていたデジタルテレビジョン放送のチャンネルが現在放送中であるか否かを示す情報を得た後、ステップＳ１４０に進む。
【００６６】
ステップＳ１４０で、副制御部３１は、ステップＳ１３０で得た情報に基づいて現在放送中であるか否かを判断し、現在放送中の場合は、ステップＳ１５０に進み、そうでない場合は、ステップＳ２００に進む。
【００６７】
ステップＳ１５０で、副制御部３１は、現在の時刻が、予めユーザの設定した視聴時刻帯であるか否かを判断し、視聴時刻帯である場合は、ステップＳ１７０に進み、そうでない場合は、ステップＳ２００に進む。
【００６８】
ステップＳ１７０で、副制御部３１は、副マイコン３から起動設定を読み出して、「最速」になっているか否かを判断し、「最速」になっている場合には、ステップＳ１８０に進み、そうでない場合には、ステップＳ１９０に進む。
【００６９】
ステップＳ１８０で、副制御部３１は、主制御部２１を有する主マイコン２及びデジタル受信部５に電源回路４から電源を供給させ、「終了」に進む。これにより、最速起動待機を実現できる。
【００７０】
ステップＳ１９０で、副制御部３１は、主制御部２１を有する主マイコン２に電源回路４から電源を供給させるとともに、デジタル受信部５への電源回路４からの電源の供給を停止させ、「終了」に進む。これにより、通常待機を実現できる。
【００７１】
ステップＳ２００で、副制御部３１は、主制御部２１を有する主マイコン２及びデジタル受信部５への電源回路４からの電源の供給を停止させ、「終了」に進む。これにより、最低消費電力待機を実現できる。
【００７２】
図７は、本実施例のテレビジョン装置における電源供給処理の流れを示すフローチャートである。待機状態から動作状態へ切り替わる際、主制御部２１を有する主マイコン２に電源が供給された後、このフローチャートは、開始される。なお、各ステップの進行は、主制御部２１によって行われる。
【００７３】
ステップＳ５１０で、主制御部２１は、スケーラ７２に電源が供給されているか否かを判断し、供給されている場合には、ステップＳ５７０に進み、そうでない場合には、ステップＳ５２０に進む。
【００７４】
ステップＳ５２０で、主制御部２１は、スケーラ７２に電源を供給するよう副制御部３１に対して指示し、副制御部３１は、スケーラ７２に電源を供給するよう電源回路４に対して指示し、電源回路４はスケーラ７２に電源を供給し、ステップＳ５３０に進む。
【００７５】
ステップＳ５３０で、主制御部２１は、初期化を行うようスケーラ７２に対して指示し、スケーラ７２は初期化を行い、ステップＳ５４０に進む。
【００７６】
ステップＳ５４０で、主制御部２１は、デジタル受信部５に電源が供給されているか否かを判断し、供給されている場合には、ステップＳ５７０に進み、そうでない場合には、ステップＳ５５０に進む。
【００７７】
ステップＳ５５０で、主制御部２１は、デジタル受信部５に電源を供給するよう副制御部３１に対して指示し、副制御部３１は、デジタル受信部５に電源を供給するよう電源回路４に対して指示し、電源回路４はデジタル受信部５に電源を供給し、ステップＳ５６０に進む。
【００７８】
ステップＳ５６０で、主制御部２１は、初期化を行うようデジタル受信部５に対して指示し、デジタル受信部５は初期化を行い、ステップＳ５７０に進む。
【００７９】
ステップＳ５７０で、主制御部２１は、選局を行うようデジタルチューナ６１に対して指示し、デジタルチューナ６１は、選局を行い、ステップＳ５８０に進む。
【００８０】
ステップＳ５８０で、主制御部２１は、各部に電源を供給するよう副制御部３１に対して指示し、副制御部３１は、各部に電源を供給するよう電源回路４に対して指示し、電源回路４は各部に電源を供給し、「終了」に進む。
【実施例２】
【００８１】
図２は、本実施例のテレビジョン装置の構成を示すブロック図である。アナログテレビジョン放送のチャンネルを受信し、復調してアナログ映像信号を出力するアナログチューナ６２以外の、実施例１の場合と同一の符号を付した各部は、実施例１の場合と同一の機能を有するため、説明は省略する。即ち、デジタル受信部５も、実施例１の場合と同一の機能を有し、その構成は、図３に示す通りであり、その起動時の処理の流れも同一であるため、説明は省略する。また、リモコン８２も、実施例１の場合と同一であり、図４に示す通りであるため、説明は省略する。
【００８２】
次に、図９、１０、及び６を用いて、本実施例のテレビジョン装置における処理の流れを説明する。図９は、本実施例のテレビジョン装置における電源供給条件群を構成する条件を説明するテーブルを示す図である。本実施例の電源供給条件群は、「最後に受信されたチャンネルは、デジタルテレビジョン放送のチャンネルである。」という条件と、「クイック起動が有効である。」という条件と、「現在放送中である。」という条件と、「視聴時刻帯である。」という条件とからなる。
【００８３】
この電源供給条件群に含まれる全ての条件を満足し、且つ、待機状態から動作状態への切り替えを最速で行うよう設定されている場合には、最速で起動できる状態で待機する（最速起動待機）。具体的には、起動の際に最も時間を要するデジタル受信部５には電源が供給されている状態である。
【００８４】
電源供給条件群に含まれる全ての条件を満足するが、待機状態から動作状態への切り替えを最速で行うようには設定されていない場合には、通常の時間で起動できる状態で待機する（通常待機）。具体的には、デジタル受信部５に電源が供給される直前の状態であり、デジタル受信部５には電源は供給されていないが、デジタル受信部５を制御する主制御部２１には電源は供給されている状態である。
【００８５】
電源供給条件群に含まれる４つの条件の中に、１つでも満足しないものが有る場合は、起動時間は長くなるが、電力消費量が最小になる状態で待機する（最低消費電力待機）。具体的には、デジタル受信部５にも、主制御部２１にも電源が供給されていない状態である。このため、動作状態に切り替える際は、主制御部２１に電源を供給して主制御部２１を起動させた後、デジタル受信部５に電源を供給してデジタル受信部５を起動させる必要がある
【００８６】
本実施例における電源が供給される状態を説明するテーブルを示す図は、実施例１の場合（図１０）と同一であるため、説明は省略する。
【００８７】
図６は、本実施例のテレビジョン装置の待機状態における処理の流れを示すフローチャートである。このフローチャートにおけるステップＳ３１０を除いたステップＳ３２０からステップＳ４００までの各ステップは、図５（実施例１の場合）のステップＳ１２０からステップＳ２００と同一であるため、これらの説明は省略する。但し、副マイコン３は、待機状態になる直前の動作状態にある時に最後に受信されていたチャンネルが、デジタルテレビジョン放送のチャンネルであったか否かを示す情報も記憶する。
【００８８】
なお、ステップＳ３１０で、副制御部３１は、副マイコン３から、待機状態になる直前の動作状態にある時に最後に受信されていたチャンネルがデジタルテレビジョン放送のチャンネルであったか否かを示す情報を読み出し、デジタルテレビジョン放送のチャンネルであった場合には、ステップＳ３２０に進み、そうでない場合には、ステップＳ４００に進む。
【００８９】
また、本実施例における電源供給処理の流れを示すフローチャートは、実施例１の場合（図７）と同一であるため、説明は省略する。
【００９０】
以上述べたように、本発明の実施例１及び２のテレビジョン装置は、デジタルテレビジョン放送の受信を行う必要のない場合や必要性の低い時刻帯は、最低消費電力待機を行い、それ以外は、起動設定に応じて、最速起動待機又は通常待機を行うことができる。これにより、待機状態から動作状態へ切り替わり映像が表示されるまでに要する起動時間を短縮するとともに、待機状態における電力消費量を低減することができる。
【００９１】
また、従来のテレビジョン装置では、待機状態にある時に、１通りの電源供給状態しか実現できなかったが、本発明のテレビジョン装置では、待機状態にある時に、条件に応じて自動的に複数の電源供給状態を切り替えることができる。即ち、本発明のテレビジョン装置では、条件を適当に設定することで、ユーザの生活習慣やニーズ、放送状態等に適応した待機状態を実現することができる。
【００９２】
なお、上述の実施例１及び２のテレビジョン装置１は、本体に主電源スイッチを備えているものであるが、主電源スイッチを備えていない場合であっても、同様の作用及び効果が得られることは、説明するまでもない。
【００９３】
また、上述の実施例１及び２における副制御部３１、信号変換部３２、及び時計部３３は、１つのマイコン（副マイコン３）によって実現されるものであるが、本発明はこれに限定されず、複数のマイコンによって実現しても良い。
【００９４】
また、上述の実施例１及び２における視聴時刻帯は、１つの連続する時刻帯であっても良いし、複数の時刻帯から構成されても良い。即ち、視聴時刻帯は、「１９時から２２時までの時刻帯」のように１つの時刻帯であっても良いし、「６時から８時までの時刻帯と、２０時から２２時までの時刻帯」のように複数の時刻帯から構成されても良い。
【００９５】
また、上述の実施例１及び２における視聴時刻帯は、予めユーザが設定したものであるが、テレビジョン装置を製造する際に設定したものであっても良い。
【図面の簡単な説明】
【００９６】
【図１】本発明の実施例１のテレビジョン装置の構成を示すブロック図である。
【図２】本発明の実施例２のテレビジョン装置の構成を示すブロック図である。
【図３】本発明の実施例１及び２のテレビジョン装置のデジタル受信部の構成を示すブロック図である。
【図４】本発明の実施例１及び２のテレビジョン装置のリモコンを示す図である。
【図５】本発明の実施例１のテレビジョン装置の待機状態における処理の流れを示すフローチャートである。
【図６】本発明の実施例２のテレビジョン装置の待機状態における処理の流れを示すフローチャートである。
【図７】本発明の実施例１及び２のテレビジョン装置における処理の流れを示すフローチャートである。
【図８】本発明の実施例１のテレビジョン装置における電源供給条件群を構成する条件を説明するテーブルを示す図である。
【図９】本発明の実施例２のテレビジョン装置における電源供給条件群を構成する条件を説明するテーブルを示す図である。
【図１０】本発明の実施例１及び２のテレビジョン装置における電源供給状態を説明するテーブルを示す図である。
【図１１】従来のテレビジョン装置における電源供給状態を説明するテーブルを示す図である。
【符号の説明】
【００９７】
１  テレビジョン装置
２１  主制御部
３１  副制御部
３２  信号変換部
３３  時計部
４  電源回路
５  デジタル受信部
６１  デジタルチューナ
６２  アナログチューナ
６４  アナログ・デジタル変換器
７  表示部
８１  本体キー
８２  リモコン
８２１  電源キー
８３  受信部
【図１】
2008177883.tif 000003
【図２】
2008177883.tif 000004
【図３】
2008177883.tif 000005
【図４】
2008177883.tif 000006
【図５】
2008177883.tif 000007
【図６】
2008177883.tif 000008
【図７】
2008177883.tif 000009
【図８】
2008177883.tif 000010
【図９】
2008177883.tif 000011
【図１０】
2008177883.tif 000012
【図１１】
2008177883.tif 000013